【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
燃料の供給部を備えたハウジングと、
燃料を着火させるときの少なくとも１つの段階を選択的に遂行するために前記ハウジングに移動可能に連結された作動部材と、
前記作動部材を高力モードから低力モードに選択的に切替えるために前記ハウジングに摺動可能に連結されたラッチ部材とを有し、
前記作動部材は、高力モード及び低力モードにあるとき、燃料を着火させる前記少なくとも１つの段階を遂行するように作動可能であるライター。
【請求項２】
前記作動部材は、燃料を着火させる前記少なくとも１つの段階を遂行するために、第１方向に移動可能であり、前記ラッチ部材は、前記作動部材を高力モードから低力モードに選択的に切替えるために、第２方向に摺動可能である、請求項１に記載のライター。
【請求項３】
前記第１方向は、前記第２方向と実質的に同じである、請求項２に記載のライター。
【請求項４】
前記作動部材は、第１経路に沿って移動可能であり、前記ラッチ部材は、第２経路に沿って摺動可能である、請求項１に記載のライター。
【請求項５】
前記第１経路は、前記第２経路と実質的に平行である、請求項４に記載のライター。
【請求項６】
前記第１経路は、前記第２経路に対して横方向に延びる、請求項４に記載のライター。
【請求項７】
更に、カムフォロワを更に有し、
前記ラッチ部材は、前記作動部材を高力モードから低力モードに切替えるために、前記カムフォロワと相互作用するカム面を有する、請求項１に記載のライター。
【請求項８】
更に、プランジャ部材を有し、前記プランジャ部材は、前記作動部材が高力モードにあるときの第１位置と、前記作動部材が低力モードにあるときの第２位置との間を移動可能であり、前記カムフォロワは、前記プランジャ部材を前記第１位置から前記第２位置に移動させる、請求項７に記載のライター。
【請求項９】
前記プランジャ部材は、通常、前記第１位置に配置され、前記ラッチ部材は、通常、初期位置に配置され、前記ラッチ部材を前記初期位置から所定距離だけ摺動させることにより、前記カムフォロワは、前記プランジャ部材を前記第２位置に移動させる、請求項８に記載のライター。
【請求項１０】
前記ラッチ部材を摺動させる前に前記作動部材を所定距離だけ移動させることにより、前記作動部材を高力モードから低力モードに切替えるのに十分な距離だけ前記ラッチ部材を移動させることを実質的に防止する、請求項１に記載のライター。
【請求項１１】
燃料の供給部を備えたハウジングと、
燃料を着火させる少なくとも１つの段階を選択的に遂行するために前記ハウジングに連結され且つ第１経路に沿って第１方向に移動可能な作動部材と、
前記ハウジングに連結されたラッチ部材と、を有し、前記ラッチ部材は、前記作動部材が高力モードにある第１位置から前記作動部材が低力モードにある第２位置まで第２経路に沿って第２方向に移動可能であり、
前記第１経路は、前記第２経路と実質的に平行である、ライター。
【請求項１２】
前記第１方向は、前記第２方向と実質的に異なる、請求項２又は１１に記載のライター。
【請求項１３】
前記第１方向は、前記第２方向と実質的に逆である、請求項２又は１１に記載のライター。
【請求項１４】
前記第１経路及び前記第２経路の少なくとも一方は、実質的に線形である、請求項４又は１１に記載のライター。
【請求項１５】
前記第１経路及び前記第２経路の前記少なくとも一方は、湾曲し又は弧状である、請求項４又は１１に記載のライター。
【請求項１６】
前記第１経路及び前記第２経路の少なくとも一方は、傾斜し又は多軸である、請求項４又は１１に記載のライター。
【請求項１７】
前記作動部材が高力モードにあるとき、燃料を着火させる前記少なくとも１つの段階を遂行するために、前記作動部材を移動させる第１作動力が必要とされ、
前記作動部材が低力モードにあるとき、燃料を着火させる前記少なくとも１つの段階を遂行するために、前記作動部材を移動させる第２作動力が必要とされ、
前記第１作動力は、前記第２作動力よりも大きい、請求項１又は１１に記載のライター。
【請求項１８】
前記第１作動力は、約１０ｋｇよりも小さい、請求項１７に記載のライター。
【請求項１９】
前記ラッチ部材は、前記ハウジングに対して摺動可能である、請求項１１に記載のライター。
【請求項２０】
前記ラッチ部材は、前記ハウジングの表面に沿って摺動可能である、請求項１又は１９に記載のライター。
【請求項２１】
更に、前記ラッチ部材と相互作用するカムフォロワを有する、請求項１１に記載のライター。
【請求項２２】
前記カムフォロワは、前記ハウジングに枢動可能に結合される、請求項７又は１９に記載のライター。
【請求項２３】
更に、前記作動部材が高力モードにあるときの第１位置と前記作動部材が低力モードにあるときの第２位置との間を移動可能なプランジャ部材を有し、前記カムフォロワは、前記プランジャ部材を前記第１位置から前記第２位置に移動させる、請求項７又は１９に記載のライター。
【請求項２４】
前記ラッチ部材を摺動させる前に前記作動部材を所定距離だけ移動させることにより、前記ラッチ部材を摺動させるのに必要な力の大きさを増大させる、請求項１又は１１に記載のライター。
【請求項２５】
更に、前記ラッチ部材に関連した第１係合面と、前記作動部材に関連した第２係合面と、を有し、前記ラッチ部材を摺動させる前に前記作動部材を所定距離だけ移動させると、前記第１係合面が前記第２係合面と係合する、請求項２４に記載のライター。
【請求項２６】
更に、プランジャ部材を有し、前記第１係合面は、前記プランジャ部材に形成され、前記第２係合面は、前記作動部材に形成され、前記第１係合面及び前記第２係合面は、傾斜する、請求項２５に記載のライター。
【請求項２７】
前記ラッチ部材を移動させる前に前記作動部材を所定距離だけ移動させることにより、前記作動部材を高力モードから低力モードに切替えるのに十分な距離だけ前記ラッチ部材を移動させることを実質的に防止する、請求項１又は１１に記載のライター。
【請求項２８】
更に、前記ラッチ部材に関連した第１係合面と、前記作動部材に関連した第２係合面と、を有し、前記ラッチ部材を摺動させる前に前記作動部材を所定距離だけ移動させると、前記第１係合面が前記第２係合面に係合する、請求項２４又は２７に記載のライター。
【請求項２９】
更に、プランジャ部材を有し、前記第１係合面は、前記プランジャ部材に形成され、前記第２係合面は、前記作動部材に形成され、前記第１係合面及び前記第２係合面は、実質的に水平である、請求項２８に記載のライター。
【請求項３０】
更に、プランジャ部材を有し、前記第１係合面は、前記プランジャ部材に形成され、前記第２係合面は、前記作動部材に形成され、前記第１係合面及び前記第２係合面は、実質的に垂直である、請求項２９に記載のライター。
【請求項３１】
前記燃料を着火させる前記少なくとも１つの段階は、燃料を放出させる段階又はスパークを発生させる段階である、請求項１又は１１に記載のライター。
【請求項３２】
前記作動部材は、選択的に燃料を放出させ且つスパークを発生させる、請求項１又は１１に記載のライター。
【請求項３３】
更に、前記ハウジングから延びるワンドを有する、請求項１又は１１に記載のライター。
【請求項３４】
前記ワンドは、ハウジングに対して枢動可能である、請求項３３に記載のライター。
【請求項３５】
前記作動部材は、使用者の人差し指で操作できるように構成され、前記ラッチ部材は、使用者の親指で操作できるように構成される、請求項１又は１１に記載のライター。